(57)【特許請求の範囲】
【請求項１】
ケーシングと、キーにより回動可能かつ軸方向に移動可能にケーシング内に配置されたキーシリンダと、ステアリングシャフトに係脱可能に移動されるロッキングロッドと、キーシリンダと一体に回転可能に連結されかつカム及びフランジ部を有するロータと、ロッキングロッドに連結されかつロータの回転時にロータのカムにより解錠位置に移動されるハンガと、ハンガを施錠位置に向かって押圧するハンガスプリングと、デッドロック部材と、デッドロック部材をハンガに向かって押圧するデッドロックスプリングと、デッドロック部材の移動を阻止する係止部材とを備え、
ロータと共にキーシリンダが外側に引き抜かれるときに、ロータのフランジ部は、係止部材に当接し、
係止部材は、ロータの移動によりデッドロック部材に係止する係止位置からデッドロック部材との係止が解除する非係止位置に移動され、これによりデッドロック部材は、施錠位置にあるハンガの凹部に嵌合され、ハンガは、デッドロック部材により施錠位置に保持されることを特徴とするステアリングロック装置。
【請求項２】
係止部材は、ロータのフランジ部付近に延びる折曲げ部を有し、ロータと共にキーシリンダが外側に引き抜かれるときに、ロータのフランジ部は、係止部材の折曲げ部に当接する請求項１に記載のステアリングロック装置。
【請求項３】
係止部材は、ケーシングとほぼ平行に配置された軸部を備え、係止部材の折曲げ部は、軸部の一端に設けられかつケーシングに形成された開口部を貫通してロータのフランジ部付近に延びる請求項１又は２に記載のステアリングロック装置。
【請求項４】
係止部材は、ばね受け部を備え、
係止部材のばね受け部とケーシングに形成されたばね座との間に保持スプリングが配置され、保持スプリングの弾力によって係止部材は、デッドロック部材に対して押圧され、デッドロック部材との係合が維持される請求項１〜３の何れか１項に記載のステアリングロック装置。
【発明の詳細な説明】
【０００１】
【発明の属する技術分野】
この発明は、ロック装置、特に自動車のステアリングシャフトの回転を制御するステアリングロック装置に関連する。
【０００２】
【従来の技術】
現在の自動車では、例えば特開昭６１−２９５１５４号公報に示されるように、自動車のステアリングシャフトとイグニッションスイッチとを同時に制御するステアリングロックが使用されている。このステアリングロックは、フレーム内に収容されかつキーにより施錠位置及び解錠位置間で回転されるキーシリンダと、キーシリンダと共に回転されるカムと、ステアリングシャフトに係合する施錠位置とこの係合が解除される解錠位置との間でカムとスプリングにより移動されるロッキングロッドと、カムの後方に作動連結されたイグニッションスイッチとを有する。
【０００３】
キーシリンダにキーを挿入して回転すると、キーは、ロック位置、オフ位置、ＡＣＣ位置、オン位置、スタータモータを作動するスタート位置の各位置に順次回転することができる。ロック位置でキーを抜き取ると、キーシリンダの回転が不能となりイグニッションスイッチの作動を禁止すると共に、ロッキングロッドがステアリングシャフトと係合し、ステアリングシャフトの回転が阻止され盗難防止が図られている。
【０００４】
【発明が解決しようとする課題】
従来のステアリングロック装置では、キーシリンダ及びロッキングロッドを収容するケーシングの前部にカバーがピンで固定され、ステアリングロック装置内に設けられた動作部品の不正操作を防止している。しかしながら、特殊な工具でピンを破壊してカバーと共にキーシリンダを外側に引き抜くと、ロッキングロッドを施錠位置から解錠位置に移動しかつ解錠状態に維持することができる。このため、ステアリングロック装置の機能が失われ、盗難防止効果が減殺される問題があった。
【０００５】
そこで、この発明は、ステアリングロック装置のキーシリンダが不正に引き抜かれたときに、ロッキングロッドを強制的にかつ回復不能にロック位置に保持するデッドロック状態となるステアリングロック装置を提供することを目的とする。
【０００６】
【課題を達成するための手段】
この発明によるステアリングロック装置は、ケーシング（11）と、キー（28）により回動可能かつ軸方向に移動可能にケーシング（11）内に配置されたキーシリンダ（16）と、ステアリングシャフト（80）に係脱可能に移動されるロッキングロッド（18）と、キーシリンダ（16）と一体に回転可能に連結されかつカム（44）及びフランジ部（43）を有するロータ（23）と、ロッキングロッド（18）に連結されかつロータ（23）の回転時にロータ（23）のカム（44）により解錠位置に移動されるハンガ（53）と、ハンガ（53）を施錠位置に向かって押圧するハンガスプリング（62）と、デッドロック部材（73）と、デッドロック部材（73）をハンガ（53）に向かって押圧するデッドロックスプリング（75）と、デッドロック部材（73）の移動を阻止する係止部材（76）とを備えている。ロータ（23）と共にキーシリンダ（16）が外側に引き抜かれるときに、ロータ（23）のフランジ部（43）は、係止部材（76）に当接し、ロータ（23）の移動によりデッドロック部材（73）に係止する係止位置からデッドロック部材（73）との係止が解除する非係止位置に係止部材（76）を移動し、これにより、デッドロック部材（73）は、施錠位置にあるハンガ（53）の凹部（53a）に嵌合され、ハンガ（53）は、デッドロック部材（73）により施錠位置に保持される。
この発明の実施形態では、係止部材（76）は、ロータ（23）のフランジ部（43）付近に延びる折曲げ部（76c）を有し、ロータ（23）と共にキーシリンダ（16）が外側に引き抜かれるときに、ロータ（23）のフランジ部（43）は、係止部材（76）の折曲げ部（76c）に当接する。係止部材（76）は、ケーシング（11）とほぼ平行に配置された軸部（76a）を備え、係止部材（76）の折曲げ部（76c）は、軸部（76a）の一端に設けられかつケーシング（11）に形成された開口部（77）を貫通してロータ（23）のフランジ部（43）付近に延びる。係止部材（76）は、ばね受け部（76d）を備え、係止部材（76）のばね受け部（76d）とケーシング（11）に形成されたばね座（78）との間に保持スプリング（79）が配置され、保持スプリング（79）の弾力によって係止部材（76）は、デッドロック部材（73）に対して押圧され、デッドロック部材（73）との係合が維持される。
【０００７】
また、この発明の実施形態では、キーシリンダ（16）の前部にケーシング（11）にカバー（13）が固定される。ロッキングロッド（18）は間隙（18c）をもってハンガ（53）に係合される。更に、この発明の実施形態によるステアリングロック装置は、ハンガ（53）とロッキングロッド（18）との間に配置されかつロッキングロッド（18）をステアリングシャフト（90）に対して付勢するロッドスプリング（18b）と、ステアリングシャフト（90）に固着されかつ切欠部（91b）を有するカラー（91）とが設けられる。ハンガ（53）がロック位置において、ロッキングロッド（18）がカラー（91）に当接した時ロッドスプリング（18b）の弾力に抗してロッキングロッド（18）のみが移動し、ロッキングロッド（18）がカラー（91）の切欠部（91b）に位置したとき、ロッドスプリング（18b）の弾力によりロッキングロッド（18）が切欠部（91b）に嵌合される。
【０００８】
この発明の実施形態では、ハンガ（53）から弾性をもって突出するピン（56）と、キーシリンダ（16）の前部に回動可能に取付けられかつキーシリンダ（16）にキーが挿入されるとき回動されカバー（13）に対し反力を加えてキーシリンダ（16）をカバー（13）から分離する方向に移動させるキー検知レバー（33）と、ケーシング（11）内の外側位置と内側位置との間で軸方向に移動可能に配置されると共に、キーシリンダ（16）を回転可能に収容する空洞部（12a）及びキーシリンダ（16）のタンブラ（16b）が突出するタンブラ溝（14a）を備えたハウジングケース（12）と、ハウジングケース（12）をカバー（13）に向かって押圧するハウジングスプリング（20）とを備えている。キーをキーシリンダ（16）に挿入したとき、キー検知レバー（33）が回動して、ハウジングスプリング（20）の弾力に抗してハウジングケース（12）、キーシリンダ（16）及びロータ（23）が軸方向内側に移動しかつピン（56）はロータ（23）に押圧される。キーをロック位置からアンロック位置に回転して、ハンガ（53）及びロッキングロッド（18）を施錠位置から解錠位置に移動したとき、ピン（56）はロータ（23）の縁部に係合可能となる。キーをアンロック位置からロック位置に移動すると、ピン（56）はロータ（23）の縁部に係合して、ハンガ（53）とロッキングロッド（18）は解錠位置に保持される。キーをキーシリンダ（16）から抜き取ると、ハウジングスプリング（20）の弾力によりキー検知レバー（33）が回動すると共に、ハウジングケース（12）、キーシリンダ（16）及びロータ（23）が軸方向外側に移動し、ロータ（23）とピン（56）との係合が解除され、ハンガスプリング（60）の弾力によりハンガ（53）及びロッキングロッド（18）が解錠位置から施錠位置に移動される。
【０００９】
この発明の実施形態では、キーシリンダ（16）に対して一体に回転可能に連結されたロータ（23）は、キーシリンダ（16）に対し軸方向に間隙（25）をもってかつ軸方向に移動可能にケーシング（11）内に配置される。キーシリンダ（16）をカバー（13）に向かって押圧するシリンダスプリング（27）をキーシリンダ（16）とロータ（23）との間に配置し、キーシリンダ（16）をアンロック位置からロック位置に回転するときにハウジングケース（12）に係止して、キーシリンダ（16）の回転を阻止するストッパ部材（29）がキーシリンダ（16）に設けられる。キーシリンダ（16）を軸方向内側に押圧したときに、ストッパ部材（29）とハウジングケース（12）との係合が解除されてキーシリンダ（16）をロック位置に回転することができる。
【００１０】
キーシリンダ（16）とハウジングケース（12）の一方には凸部（15b）が形成され、他方には凹部（12d）が形成され、キーシリンダ（16）をアンロック位置からロック位置に回転する途中で凸部（15b）と凹部（12d）が整合して、キーシリンダ（16）を軸方向内側に押圧し、凸部（15b）を凹部（12d）に嵌合できる。
【００１１】
カバー（13）とハウジングケース（12）との間にガードプレート（40）が回転可能に配置される。キーシリンダ（16）に設けられたストッパ部材（29）は、ストッパスプリング（47）によって径方向外側に押圧され、ハウジングケース（12）には係止突起（50）が形成される。ハウジングケース（20）は回転不能にケーシング（11）内に支持される。ガードプレート（40）はハウジングケース（12）の突起（38）が嵌合される切欠部（40b）を有する。
【００１２】
キーシリンダ（16）内にキーを挿入したときにキーがキー検知レバー（33）を回転させて、ハウジングケース（12）及びロータ（23）をガードプレート（40）に対し内側位置に向かって軸方向に移動し、これにより、ハウジングケース（12）とガードプレート（40）との嵌合が解除される。ガードプレート（40）はハウジングケース（12）に対して相対的に回転することができかつハウジングケース（12）をハウジングスプリング（20）の弾力に抗して内側位置に保持する。ハウジングケース（12）を内側位置に移動した後、キーシリンダ（16）をロック位置からアンロック位置に回転することができ、キーシリンダ（16）をキーと共にアンロック位置からロック位置に向かって回転するとき、係止解除位置においてキーと共にキーシリンダ（16）を軸方向内側に押圧して凸部（15b）を凹部（12d）に嵌合させて、係止突起（50）とストッパ部材（29）との係合を解除した後、キーシリンダ（16）をロック位置に回転することができる。
【００１３】
ステアリングロック装置を破壊して、ロータ（23）と共にキーシリンダ（16）をケーシング（11）から抜き出すとき、ロータ（23）のフランジ部（43）は、係止部材（76）の折曲げ部（76c）に当接し、係止部材（76）は、ロータ（23）の移動によりデッドロック部材（73）に係止する係止位置からデッドロック部材（73）との係止が解除する非係止位置に移動される。これにより、デッドロック部材（73）は、施錠位置にあるハンガ（53）の凹部（53a）に嵌合され、ハンガ（53）は施錠位置に保持されるため、ロッキングロッド（18）を強制的にかつ回復不能にロック位置に保持するデッドロック状態となる。
【００１４】
ロッキングロッド（18）がカラー（91）に係止した状態でデッドロック状態となってもステアリングシャフト（90）を回転したときにロッキングロッド（90）がロッドスプリング（18b）の弾力によりカラー（91）の切欠部（91b）に嵌合されるので、デッドロック状態を解除することができない。
【００１５】
キーをキーシリンダ（16）と共にロック位置からアンロック位置に向かって回転すると、ロータ（23）のカム（44）によりハンガ（53）と共にステアリングシャフト（80）に係合するロッキングロッド（18）がステアリングシャフト（80）から離間して解錠位置に移動される。キーシリンダ（16）を十分にアンロック位置に移動すると、ハンガ（53）に設けられたピン（56）がロータ（23）に係止される。
【００１６】
キーをキーシリンダ（16）と共にアンロック位置からロック位置に回転すると、ロック位置に達する前にストッパ部材（29）がハウジングケース（12）に係合して、ロック位置への回転が阻止される。そこで、キーをキーシリンダ（16）と共に軸方向に押圧すると、ストッパ部材（29）とハウジングケース（12）との係合が解除され、キーをキーシリンダ（16）と共にロック位置に回転することができる。キーシリンダ（16）をロック位置に回転した後、キーをキーシリンダ（16）から抜き取ると、ハウジングスプリング（20）の弾力により、ハウジングケース（12）、キーシリンダ（16）及びロータ（23）がカバー（13）に向かって軸方向に移動される。このため、ハンガ（53）のピン（56）とロータ（23）との係合が解除され、ハンガ（53）及びロッキングロッド（18）はハンガスプリング（60）の弾力により施錠位置に移動し、ロッキングロッド（18）はステアリングシャフト（80）に係合可能となる。キーの抜取りに対してハウジングケース（12）及びロータ（23）は確実に軸方向に移動されるため、キーの抜取り後に、ピン（56）とロータ（23）との係合を確実に解除して、ロッキングロッド（18）を施錠位置に移動することができる。また、キーの挿入時に内側に移動されるキーシリンダ（16）を更に押圧してロック位置に回転できるので、運転者はステアリングロック装置を誤操作なく正確に操作することができる。
【００１７】
また、キーをキーシリンダ（16）内に挿入した後、キーシリンダ（16）を回転したとき、ガードプレート（40）はハウジングケース（12）をハウジングスプリング（20）の弾力に抗して内側位置に保持するので、係止解除位置においてキーシリンダ（16）をハウジングケース（12）に向かって押圧し、ストッパ部材（29）と係止突起（50）との係合を確実に解除して、キーシリンダ（12）をロック位置に回転することができる。
【００１８】
【発明の実施の形態】
以下、この発明によるステアリングロック装置の実施の形態を図１〜図３１について説明する。
【００１９】
図１及び図２に示すように、この発明のステアリングロック装置１０はケーシング１１と、ケーシング１１の空洞部１１ａ内に軸方向に移動可能に配置されたハウジングケース１２と、ハウジングケース１２の前部に固定されたカバー１３とを有する。ハウジングケース１２の孔１４内には、フランジ部１５を有するキーシリンダ１６が回転可能に配置され、キーシリンダ１６には複数のタンブラ孔１６ａが形成される。各タンブラ孔１６ａには公知のようにタンブラ１６ｂが装着され、孔１４にはタンブラ１６ｂが突出するタンブラ溝１４ａが形成される。ハウジングケース１２は図１及び図４に示す外側位置と、図２２及び図２４に示す内側位置との間で軸方向に移動可能にケーシング１１内に設けられる。
【００２０】
ほぼ筒状に形成されるハウジングケース１２にはガイド突起１２ａと、ばね受け部１２ｂとが形成される。ガイド突起１２ａはケーシング１１を構成するカバー１３の溝１１ｂに滑動可能に配置され、ばね受け部１２ｂはケーシング１１の凹部１１ｃ内に配置されたハウジングスプリング２０の弾力によりカバー１３に向かって押圧される。カバー１３に形成された孔１３ａは図４に示す一対のピン１３ｂによりケーシング１１に固定される。
【００２１】
図７に示すように、キーシリンダ１６のフランジ部１５にはキーを挿入するキー溝２６に連絡しかつこれに直角にスロット３０が形成される。スロット３０はキーシリンダ１６の径方向に伸びる横スロット３１と、横スロット３１に対し直角にかつキー溝２６と平行に形成された縦スロット３２とを有する。
【００２２】
スロット３０にはキー検知レバー３３が装着される。キー検知レバー３３は矩形断面でほぼＬ字形状のレバー本体３４と、レバー本体３４から直角に突出する一対のピン３５とを有する。キー検知レバー３３のレバー本体３４は一端３４ａと他端３４ｂとを有する。ピン３５から他端３４ｂまでの長さはピン３５から一端３４ａまでの長さより大きい。このため、キー検知レバー３３がピン３５を中心にして回動したとき、キーシリンダ１６の大きな移動ストロークを得ることができるが、ピン３５から一端３４ａ及び他端３４ｂまでの長さは設計上任意に設定できる。
【００２３】
キー検知レバー３３をスロット３０に装着したとき、レバー本体３４は横スロット３１内に配置され、ピン３５は縦スロット３２内に配置される。詳細には図示しないが、縦スロット３２は円形断面のピン３５と相補的形状を有し半円筒状を有する。従って、キー検知レバー３３をスロット３０に装着したとき、縦スロット３２内に配置されたピン３５を中心にして、レバー本体３４は横スロット３２内に揺動可能に配置される。図１に示すステアリングロック装置１０は、図１７及び図１８に示す硬質金属で形成された円形のガードプレート４０を備えている。ガードプレート４０は、ほぼ中心に形成されたキーを挿入するキー孔４２と、周縁部に形成された円弧状の一対のリム４０ａと、一対のリム４０ａの間に形成された切欠部４０ｂと、一対の貫通孔４０ｃとを備えている。キーをステアリングロック装置１０に挿入しないとき、ハウジングケース１２のガイド突起１２ａ及びばね受け部１２ｂの各突起３８が切欠部４０ｂに嵌合され、キーシリンダ１６の突起１５ａが貫通孔４２ｃに嵌合される。図１に示すカバー１３の内壁には円形凹部４１が設けられ、ガードプレート４０は円形凹部４１に装着される。ガードプレート４０はカバー１３の円形凹部４１内に回転可能に配置されるが、軸方向には移動しない。ガードプレート４０は、キーシリンダ１６のキー溝２６内に不正に工具が挿入されるのを阻止する働きがある。キーシリンダ１６のフランジ部１５から前方に突出する突起１５ａが嵌合される貫通孔４０ｃがガードプレート４０に形成される。突起１５ａが貫通孔４０ｃ内に装着された状態ではカードプレート４０はキーシリンダ１６と一体となる。キーシリンダ１６にキーを挿入すると、キーシリンダ１６はキー検知レバー３３により軸方向に移動して、突起１５ａが貫通孔４０ｃから離間するが、キーがガードプレート４０及びキーシリンダ１６内に挿入されているため、ガードプレート４０はキーシリンダ１６と一体に回転する。
【００２４】
キーシリンダ１６の内端部側に形成されたタンブラ孔１６ｃにはストッパ部材２９が径方向に滑動可能に配置される。図１３に示すように、ストッパ部材２９はストッパスプリング４７により径方向外側に向かって付勢される。ストッパ部材２９は傾斜面４６及び垂直面４８を有する突起４５を備え、突起４５はハウジングケース１２の端部に形成されたガイド通路４９内を移動する。ガイド通路４９には傾斜面５１及び垂直面５２を有する係止突起５０が設けられる。キーシリンダ１６をロック位置からアンロック位置に回転すると、図１４に示すように、突起４５の傾斜面４６が係止突起５０の傾斜面５１に当接し、更にキーシリンダ１６を回転すると、ストッパスプリング４７の弾力に抗してストッパ部材２９は径方向内側に移動し、自動的に係止突起５０を乗り越えることができる。アンロック位置からロック位置にキーシリンダ１６を回転すると、図１５に示すように、突起４５の垂直面４８が係止突起５０の垂直面５２に当接してキーシリンダ１６のロック位置への回転が阻止される。これは、キーシリンダ１６のロック位置から約６０゜の位置であり、キーと共にキーシリンダ１６を内側に押圧すると、ストッパ部材２９と係止突起５０との係合が解除され、キーシリンダ１６をロック位置に回転することができる。また、ストッパ部材２９はキーシリンダ１６がハウジングケース１２から外側に移動することも阻止する。
【００２５】
図１及び図４に示すように、キーシリンダ１６の内端部１７は軸方向に突出する連結部１７ａと、連結部１７ａに形成された長孔１７ｂとを有する。図１に示すように、内端部１７は、ケーシング１１内に回転可能にかつキーシリンダ１６と同軸上に配置されたロータ２３の孔２４に軸方向に間隙２５をもって装着される。本実施形態ではロータ２３はキーシリンダ１６と別体として示すが、ストッパ部材２９を設けない構造ではロータ２３はキーシリンダ１６と一体に形成してもよい。ロータ２３の孔２４内に配置されたシリンダスプリング２７によりキーシリンダ１６はカバー１３に向かって押圧される。キーシリンダ１６の長孔１７ｂ内にはロータ２３の孔２４に圧入したピン２４ａが挿入される。このため、ロータ２３はキーシリンダ１６と一体に回転すると共に、キーをキーシリンダ１６から抜いてキーシリンダ１６が軸方向に移動するとき、長孔１７ｂが長孔２４ａに係合している。
【００２６】
図２に示すように、ロータ２３はフランジ部４３と、フランジ部４３に連結されたカム４４と、カム４４から延び出して、イグニッションスイッチ８０に連結される後方端部４４ａを有する。ケーシング１１の孔１９から進退可能に取付けられたロッキングロッド１８に形成されたフック部１８ａに公知の方法で連結されるハンガ５３は、図７に示すようにロータ２３のカム４４に当接する従動部５４と、ピン５６、ピンスプリング５７及びプラグ５８が装着される貫通孔５５とが形成される。図２に示すように、ピン５６はピンスプリング５７によりロータ２３のフランジ部４３方向に突出する。ハンガ５３及びロッキングロッド１８はハンガ５３とキャップ５９との間に配置されたハンガスプリング６０により施錠位置に向かって押圧される。
【００２７】
図１６に示すように、キーシリンダ１６のフランジ部１５には凸部１５ｂが形成され、凸部１５ｂは図８に示すハウジングケース１２のカム１２ｃに当接し、カム１２ｃはキーシリンダ１６をロック位置の手前約６０゜まで回転した係止解除位置に形成された凹部１２ｄ（図７）を有する。キーシリンダ１６を係止解除位置まで回転したときに、キーシリンダ１６をハウジングケース１２に対して押圧して、図９に示すように凸部１５ｂを凹部１２ｄに嵌合することができる。
【００２８】
図５に示すように、ケーシング１１には小室７１を形成する膨出部７０が設けられ、小室７１にはキャップ７４が加締めにより固定されると共に、貫通孔７２が形成される。貫通孔７２内に配置されたデッドロック部材７３は、デッドロック部材７３とキャップ７４との間に配置されたデッドロックスプリング７５によってハンガ５３に向かって押圧されるが、デッドロック部材７３は係止部材７６によってハンガ５３に向かう移動が阻止される。図５に示すように、係止部材７６はケーシング１１とほぼ平行に配置された軸部７６ａと、軸部７６ａから外側に延びてキャップ７４に当接してガイドとなる案内突起７６ｂと、軸部７６ａの一端に設けられかつケーシング１１に形成された開口部７７を貫通してフランジ部４３付近に延びる折曲げ部７６ｃと、軸部７６ａから下方に延びるばね受け部７６ｄ（図６）とを有する。軸部７６ａの他端はデッドロック部材７３に形成された凹部７３ａに係合（図２１）して、デッドロック部材７３のハンガ５３に向かう移動が阻止される。ばね受け部７６ｄと小室７１に形成されたばね座７８との間に保持スプリング７９が配置され、保持スプリング７９の弾力によって係止部材７６はデッドロック部材７３に対して押圧され、デッドロック部材７３との係合が維持される。
【００２９】
図７及び図３１に示すように、この発明では、ハンガ５３とロッキングロッド１８との間に配置されかつロッキングロッド１８をステアリングシャフト９０に対して付勢するロッドスプリング１８ｂと、ステアリングシャフト９０に固着されかつ切欠部９１ｂを有するカラー９１とが設けられる。ロッキングロッド１８は間隙１８ｃをもってハンガ５３に係合される。ハンガ５３がロック位置にありかつロッドスプリング１８ｂの弾力によりロッキングロッド１８がカラー９１の外周面９１ａに当接する場合に、ステアリングシャフト９０を回転したときにロッキングロッド１８はカラー９１の切欠部９１ｂに嵌合される。
【００３０】
この発明によるステアリングロック装置１０を組み立てるとき、必要な部品を組立状態でケーシング１１内に配置した後、カバー１３をピン１３ｂで固定すると共に、ピン８２をケーシング１１の孔８３及びキャップ５９の孔８４に圧入してキャップ５９を固定する。また、ケーシング１１の凹部６５内にはイグニッションスイッチ８０が取付けられる。
【００３１】
図１及び図２に示すロック位置にあるステアリングロック装置１０のキーシリンダ１６のキー溝２６内にキー２８を挿入すると、キー２８の先端はキー溝２６内に突出するキー検知レバー３３の一端３４ａに当接する。このため、図２２に示すように、キー検知レバー３３は反時計方向に回動され、レバー本体３４の他端３４ｂがカバー１３の内面を押圧する。従って、図２２に示すように、キー検知レバー３３が回動しながら、キーシリンダ１６が内側位置に移動される。キーシリンダ１６の軸方向移動に伴ってハウジングスプリング２０の弾力に抗してハウジングケース１２及びハウジングケース１２に当接するロータ２３も軸方向に移動する。ハウジングケース１２が軸方向に移動すると、図２３に示すように、ロータ２３のフランジ部４３はピンスプリング５７の弾力に抗してピン５６を押圧する。キーシリンダ１６にキーを挿入しても、ガードプレート４０はカバー１３とキー検知レバー３３により軸方向には移動しない。このため、ハウジングケース１２のガイド突起１２ａ及びばね受け部１２ｂの各突起３８は、図１９に示すようにガードプレート４０の切欠部４０ｂに嵌合された状態から軸方向に移動して、嵌合が解除される。このように、キーシリンダ１６内にキーを挿入したときにキーがキー検知レバー３３を回転させて、ハウジングケース１２及びロータ２３を内側位置に向かって軸方向に移動し、これにより、ハウジングケース１２とガードプレート４０との係合が解除される。その後、キー２８をキーシリンダ１６と共に回転すると、ガードプレート４０のリム４０ａはハウジングケース１２の突起３８に対向して円周方向に回転する。ガードプレート４０はハウジングケース１２に対して相対的に回転するとき、図２０に示すように、ハウジングケース１２の突起３８がリム４０ａに当接するため、ハウジングケース１２をハウジングスプリング２０の弾力に抗して内側位置に保持する。
【００３２】
次に、キーシリンダ１６をキー２８と共にロック位置からアンロック位置に回転すると、ロータ２３のカム４４が回転するので、ハンガ５３の従動部５４はカム４４により図２１に示す施錠位置から図２５及び図２６に示す解錠位置に移動し、ロッキングロッド１８はステアリングシャフト８０（図２）との係合が解除される。キーシリンダ１６を完全にアンロック位置に回転すると、ハンガ５３が十分に上方に移動し、図２５に示すように、ピン５６はロータ２３のフランジ部４３の上方に移動し、ピンスプリング５７の弾力によりフランジ部４３の上方に突出するので、更にキー２８を回転して、イグニッションスイッチ８０をオンにすることができる。また、キーシリンダ１６をロック位置からアンロック位置に回転すると、ストッパ部材２９は係止突起５０を自動的に乗り越えて図１３に示すロック位置からアンロック位置に移動される。
【００３３】
その後、キーシリンダ１６をキー２８と共にアンロック位置からロック位置に回転すると、ロック位置から約６０゜の位置まで戻したときに、図１５に示すように、突起４５の垂直面４８が係止突起５０の垂直面５２に当接してキーシリンダ１６のロック位置への回転が阻止される。このとき、キーシリンダ１６のフランジ部１５に形成された凸部１５ｂは図９に示すようにカム１２ｃの凹部１２ｄに整合するから、キーと共にキーシリンダ１６を内側に押圧すると、凸部１５ｂは凹部１２ｄ内に収容される。キーシリンダ１６の長孔１７ｂを有する連結部１７ａはシリンダスプリング２７の弾力に抗してロータ２３の間隙２５内で移動する。このため、ストッパ部材２９と係止突起５０との係合が解除され、キーシリンダ１６をロック位置に回転することができる。図８〜図１０に示すように、キーシリンダ１６の凸部１５ｂはカム１２ｃに当接するため、図９に示すストッパ部材２９の係止解除位置でなければキーシリンダ１６を押圧することができない。キーシリンダ１６の押圧を解除した後はシリンダスプリング２７の弾力によりキーシリンダ１６はロック位置に戻すことができる。
【００３４】
キーをキーシリンダ１６から抜き取ると、ハウジングスプリング２０の弾力によりハウジングケース１２、キーシリンダ１６及びロータ２３は軸方向に移動してロック位置に戻され、キー検知レバー３３も図１に示すロック位置に戻され、キー検知レバー３３の一端はキー溝２６内に突出する。また、キー２８をキーシリンダ１６から抜き取ると、ハウジングケース１２が軸方向に移動して、ピン５６とフランジ部４３との係合が解除されるため、ハンガ５３はハンガスプリング６０の弾力により解錠位置から施錠位置に移動される。このため、ハンガ５３とロッキングロッド１８はキーをキーシリンダ１６から抜き取るまで解錠位置に確実に保持される。
【００３５】
キー２８をキーシリンダ１６と共に回転したとき、キーシリンダ１６はキー検知レバー３３及びガードプレート４０と共に回転し、キー検知レバー３３の他端は常時ガードプレート４０に当接する。従って、キー検知レバー３３に摩耗等の損傷が発生せず、また、キー２８を円滑に回転することができる。このように、キー２８がキーシリンダ１６から抜き取られるとき、ハウジングスプリング２０はキーシリンダ１６、ハウジングケース１２及びロータ２３をカバー１３に向かって移動すると共に、キー検知レバー３３を回動させる作用がある。
【００３６】
キーシリンダ１６が不正に外側に引き抜かれるときに、図２７に示すようにピン１３ｂが工具でカバー１３に形成された孔１３ａから除去され、カバー１３がケーシング１１から外される。カバー１３を外した後、キーシリンダ１６はロータ２３と共に外側に引き抜かれるとき、図２８に示すように、フランジ部４３は折曲げ部７６ｃに当接し、係止部材７６はデッドロック部材７３から離間した非係止位置に移動される。このため、係止部材７６の軸部７６ａとデッドロック部材７３の凹部７３ａとの係合が解除され、デッドロック部材７３は、デッドロックスプリング７５によってハンガ５３に向かって押圧され、図２９及び図３０に示すように、ハンガ５３に形成された凹部５３ａに嵌合される。このため、ハンガ５３は施錠位置に係止され、ロッキングロッド１８を強制的にかつ回復不能にロック位置に保持するデッドロック状態となる。
【００３７】
図３１に示すように、ロッキングロッド１８がカラー９１の外周面９１ａに係止した状態であっても、ロッキングロッド１８のみが移動し、ハンガ５３はハンガスプリング６０により施錠位置が保持されるため、デッドロック部材７３は確実に凹部５３ａに嵌合される。
【００３８】
本実施形態では、キーの抜取りに対してハウジングケース１２及びロータ２３は確実に軸方向に移動されるため、キーの抜取り後にロッキングロッド１８を確実に施錠位置に移動することができる。また、キーの挿入時に内側に移動されるキーシリンダ１６を更に押圧してロック位置に回転できるので、運転者はステアリングロック装置を誤操作なく正確に操作することができる。
【００３９】
図２に示すように、ロータ２３のフランジ部４３の当接面４３ａの上部で径方向外縁にストッパ部７３が形成される。キー２８をステアリングロック装置１０に挿入せず、ロッキングロッド１８が施錠位置にあるとき、ピン５６の先端はストッパ部７３の径方向内側面７３ｂの突出範囲内にある。図２３に示すように、ステアリングロック装置１０にキー２８を挿入すると、フランジ部４３が移動し、ピン５６の先端はフランジ部４３の当接面４３ａに接触する。ロッキングロッド１８が施錠位置にあるときに、ステアリングロック装置１０に衝撃を加えても、ピン５６はストッパ部７３の径方向内側面７３ｂに当接するから、ピン５６がストッパ部７３を越えることができず、フランジ部４３の縁部４３ｂへのピン５６の係止及びロッキングロッド１８の解錠位置への移動が阻止される。
【００４０】
【発明の効果】
上述のように、この発明では、キーシリンダをケーシングから不正に抜き取ると、ロッキングロッドが回復不能にロック位置に保持するデッドロック状態となり、車両の盗難を確実に防止することができる。
【図面の簡単な説明】
【図１】  この発明によるステアリングロック装置の前部を示す断面図
【図２】  図１に示すステアリングロック装置の後部を示す断面図
【図３】  この発明のステアリングロック装置の正面図
【図４】  図１のＢ−Ｂ線に沿う断面図
【図５】  図４に示すステアリングロック装置の後部を示す断面図
【図６】  膨出部を示す側面図
【図７】  この発明によるステアリングロック装置の分解斜視図
【図８】  ロック位置においてキーシリンダの凸部がハウジングケースのカム面に当接する状態の展開図
【図９】  キーシリンダを６０゜回転した状態のハウジングケースのカムの展開図
【図１０】  キーシリンダを９０゜回転した状態のハウジングケースのカムの展開図
【図１１】  キーシリンダを１２０゜回転した状態のハウジングケースのカムの展開図
【図１２】  キーシリンダを１５２゜回転した状態のハウジングケースのカムの展開図
【図１３】  ストッパ部材を示す断面図
【図１４】  ストッパ部材がハウジングケースの突起を乗り越える状態を示す断面図
【図１５】  ストッパ部材がハウジングケースの突起に当接する状態を示す断面図
【図１６】  この発明のステアリングロック装置の前部の部分断面図
【図１７】  ガードプレートの斜視図
【図１８】  ガードプレートの背面図
【図１９】  ガードプレートとハウジングケースとの嵌合状態を示す断面図
【図２０】  ガードプレートとハウジングケースとの嵌合が解除された状態を示す断面図
【図２１】  図２のＡ−Ａ線に沿う断面図
【図２２】  キーをキーシリンダに挿入した状態を示すこの発明によるステアリングロック装置の前部の断面図
【図２３】  図２２に示すステアリングロック装置の後部を示す断面図
【図２４】  キーをＡＣＣ位置に回転した状態を示すこの発明によるステアリングロック装置の前部の断面図
【図２５】  図２４に示すステアリングロック装置の後部を示す断面図
【図２６】  キーをＡＣＣ位置に回転した状態を示す図２のＡ−Ａ線に沿う断面図
【図２７】  ステアリングロック装置を破壊してキーシリンダを前方に引きだした状態を示す断面図
【図２８】  デッドロック状態となった図２７に示すステアリングロック装置の後部を示す断面図
【図２９】  デッドロック状態となった膨出部の側面図
【図３０】  デッドロック状態となった図２のＡ−Ａ線に沿う断面図
【図３１】  ロッキングロッドがステアリングシャフトのカラーに係止した状態を示す断面図
【符号の説明】
１０・・ステアリングロック装置、  １１・・ケーシング、  １２・・ハウジングケース、  １２ａ・・空洞部、  １２ｄ・・凹部、  １３・・カバー、  １４ａ・・タンブラ溝、  １５ｂ・・凸部、  １６・・キーシリンダ、  １６ｂ・・タンブラ、  １８・・ロッキングロッド、  ２３・・ロータ、  ２５・・間隙、  ２９・・ストッパ部材、  ３３・・キー検知レバー、  ４０・・ガードプレート、    ４４・・カム、  ５３・・ハンガ、  ５６・・ピン、  ６０・・ハンガスプリング、  ７０・・膨出部、  ７１・・小室、  ７２・・貫通孔、  ７３・・デッドロック部材、  ７４・・キャップ、  ７５・・デッドロックスプリング、  ７６・・係止部材、  ７６ａ・・軸部、  ７６ｂ・・案内突起、  ７６ｃ・・折曲げ部、  ７６ｄ・・ばね受け部、  ７９・・保持スプリング、
【図１】
0003803142.tif 000002
【図２】
0003803142.tif 000003
【図３】
0003803142.tif 000004
【図４】
0003803142.tif 000005
【図５】
0003803142.tif 000006
【図６】
0003803142.tif 000007
【図７】
0003803142.tif 000008
【図８】
0003803142.tif 000009
【図９】
0003803142.tif 000010
【図１０】
0003803142.tif 000011
【図１１】
0003803142.tif 000012
【図１２】
0003803142.tif 000013
【図１３】
0003803142.tif 000014
【図１４】
0003803142.tif 000015
【図１５】
0003803142.tif 000016
【図１６】
0003803142.tif 000017
【図１７】
0003803142.tif 000018
【図１８】
0003803142.tif 000019
【図１９】
0003803142.tif 000020
【図２０】
0003803142.tif 000021
【図２１】
0003803142.tif 000022
【図２２】
0003803142.tif 000023
【図２３】
0003803142.tif 000024
【図２４】
0003803142.tif 000025
【図２５】
0003803142.tif 000026
【図２６】
0003803142.tif 000027
【図２７】
0003803142.tif 000028
【図２８】
0003803142.tif 000029
【図２９】
0003803142.tif 000030
【図３０】
0003803142.tif 000031
【図３１】
0003803142.tif 000032